(57)【要約】【課題】自車両が先行車両の排ガスをかぶらないように車間距離制御を行う。【解決手段】先行車両追従走行制御装置は、前方車両との車間距離が所定の車間距離となるように自車速を制御する装置である。この装置は、排ガスセンサが先行車両からの排ガスを所定値以上検出した場合（ステップＳ２２）、所定の車間距離を大きい値に変更し（ステップＳ２４）、かつ走行速度制御の制御ゲインを小さい値に変更する（ステップＳ２５）。【選択図】図４
2005178692.tif 000002
【特許請求の範囲】
【請求項１】
先行車両からの排ガスが自車両にかかってしまうことを抑制するように、前記先行車両との車間距離を制御することを特徴とする車間距離制御装置。
【請求項２】
先行車両との車間距離が所定の車間距離となるように自車速を制御する走行速度制御手段と、
前記先行車両の排ガスを検出する排ガス検出手段と、
前記排ガス検出手段が前記先行車両からの排ガスを所定値以上検出した場合、前記所定の車間距離を大きい値に変更すること、及び前記走行速度制御手段の制御ゲインを小さい値に変更することの少なくとも一方を行う変更手段と、
を備えたことを特徴とする車間距離制御装置。
【請求項３】
前記変更手段は、過去に前記排ガス検出手段が所定値以上の排ガスを検出した先行車両が自車両前方で加速している場合、前記所定の車間距離を大きい値に変更すること、及び前記走行速度制御手段の制御ゲインを小さい値に変更することの少なくとも一方を行うことを特徴とする請求項２記載の車間距離制御装置。
【請求項４】
前記変更手段は、過去に前記排ガス検出手段が所定値以上の排ガスを検出した先行車両が自車両前方で登坂路を走行している場合、前記所定の車間距離を大きい値に変更すること、及び前記走行速度制御手段の制御ゲインを小さい値に変更することの少なくとも一方を行うことを特徴とする請求項２記載の車間距離制御装置。
【請求項５】
前記変更手段は、前記排ガス検出手段が検出した排ガス量に応じて、前記所定の車間距離を変更し、及び前記走行速度制御手段の制御ゲインを変更することを特徴とする請求項２乃至４のいずれか一項に記載の車間距離制御装置。
【請求項６】
前記排ガスは、所定の成分を含む排ガスであることを特徴とする請求項１乃至５のいずれか一項に記載の車間距離制御装置。
【発明の詳細な説明】
【技術分野】
【０００１】
本発明は、走行中の先行車両等との車間距離を制御する車間距離制御装置に関する。
【背景技術】
【０００２】
走行中の先行車両等との車間距離を制御する車間距離制御装置としては、特許文献１等に開示されている装置がある。例えば、特許文献１に開示されている車間距離制御装置は、先行車両との車間距離、相対速度や自車速に基づいて所定の車間距離になるように制御している。
【特許文献１】特開平０９−２８６２５７号公報
【発明の開示】
【発明が解決しようとする課題】
【０００３】
ところで、車間距離制御により所定の車間距離にした場合に、前方車両の黒煙等の排ガスを自車両が大量にかぶってしまう場合がある。自車両が排ガスを大量にかぶってしまうと、視界が悪化したり、エアダクトや車内空調の外気導入口からその排ガスが吸い込まれてしまう場合がある。これでは、運転者の運転環境は悪くなってしまう。
本発明は、前記問題に鑑みてなされたものであり、自車両が排ガスをかぶりにくくする車間距離制御装置の提供を目的とする。
【課題を解決するための手段】
【０００４】
請求項１記載の車間距離制御装置は、先行車両からの排ガスが自車両にかかってしまうことを抑制するように、前記先行車両との車間距離を制御する。ここで、排ガスとしては、有色であったり、臭いがしたりする黒煙が挙げられる。
また、請求項２記載の車間距離制御装置は、先行車両との車間距離が所定の車間距離となるように自車速を制御する走行速度制御手段を備えており、前記先行車両の排ガスを排ガス検出手段により検出し、前記排ガス検出手段が前記先行車両からの排ガスを所定値以上検出した場合、前記所定の車間距離を大きい値に変更すること、及び前記走行速度制御手段の制御ゲインを小さい値に変更することの少なくとも一方を変更手段により行う。ここで、排ガスとしては有色であったり、臭いがしたりする黒煙が挙げられる。
【発明の効果】
【０００５】
本発明によれば、先行車両との車間距離を制御して、先行車両からの黒煙等の排ガスが自車両にかかってしまうことを抑制できるので、視界が悪化したり、エアダクトや車内空調の外気導入口からその排ガスが吸い込まれてしまうことを防止できる。
【発明を実施するための最良の形態】
【０００６】
本発明を実施するための最良の形態（以下、実施形態という。）を図面を参照しながら詳細に説明する。
図１は本発明の車間距離制御装置を適用した先行車両追従走行制御装置付き車両の一実施形態を示すシステム構成図である。この車両は、後輪１ＲＬ、１ＲＲが駆動輪、前輪１ＦＬ、１ＦＲが従動輪となる後輪駆動車両であり、エンジン２の駆動トルクが自動変速機３を介して前記後輪１ＲＬ、１ＲＲに伝達される。
【０００７】
前記エンジン２の回転状態、トルク、出力等はエンジン制御装置１１によって制御可能である。具体的には、スロットルバルブ開度、アイドルバルブ開度、点火時期、燃料噴射量、燃料噴射タイミング等を調整することによってエンジンの回転状態、トルク、出力等を制御することができる。
また、前記自動変速機３は変速機制御装置１２によって制御可能である。具体的には、自動変速機３内のクラッチやブレーキに供給する作動流体圧を調整することにより、選択されるギヤ比を変更し、所望する減速比を得るようにすることができる。
【０００８】
また、前記各車輪１ＦＬ〜１ＲＲは、所謂ディスクブレーキを構成するホイールシリンダ４ＦＬ〜４ＲＲを備えている。このホイールシリンダ４ＦＬ〜４ＲＲは供給される制動流体圧によって各車輪１ＦＬ〜１ＲＲに制動力を付与するものである。そして、各車輪１ＦＬ〜１ＲＲに付与する制動力は制動流体圧制御装置１３によって制御可能である。具体的には、例えば駆動力制御装置（ＴＣＳ）のように制動流体圧を増圧したり、アンチスキッド制御装置（ＡＢＳ）のように制動流体圧を減圧したりすることにより、各ホイールシリンダ４ＦＬ〜４ＲＲへの制動流体圧を調整し、各車輪１ＦＬ〜１ＲＲへの制動力を制御することができる。なお、この制動流体圧制御装置１３内で調圧される制動流体圧は、ブレーキペダル２１の踏込みによって昇圧されるマスタシリンダ２２から供給される。
【０００９】
これらの制御装置は、何れも車両の走行状態を制御するものであり、結果的に自車両の加減速度、前後方向速度等を調整して、走行状態を制御することができる。
これらの制御装置は、勿論、単独でも作動可能であるが、全体機能としては車間距離制御や先行車両追従走行制御を含む自動走行制御装置１０によって司られている。この自動走行制御装置１０は、種々の演算処理を行って車両の走行状態を制御し、もって車間距離制御や先行車両追従走行制御等を行う。
【００１０】
また、車両には、例えばＣＣＤカメラ等を備えて自車両の前方の状態、例えば走行車線の状態や先行車両の有無、或いは先行車両までの距離を検出する前方状態検出装置１６や、各車輪１ＦＬ〜１ＲＲの回転速度を検出する車輪速度センサ１７、車両に発生する前後及び横加速度を検出する加速度センサ１８、制動流体圧を検出する制動流体圧センサ１９、アクセルペダルの踏込み量を検出するアクセル開度センサ２０を備えている。また、この車両には、運転者の手動入力によって自車両の走行状態を調整するための手動スイッチ９が備えられている。
【００１１】
また、この車両には、所謂ＧＰＳ（Global Positioning System ）によって自車両の位置情報を検出するナビゲーションシステム７が備えられている。さらに、この車両には、前記自動走行制御装置１０による制御内容を乗員、特に運転者に提示するためのディスプレイ及びスピーカ２３が備えられている。
また、この車両には、先行車両から排出される黒煙等の排ガスを検出する排ガスセンサ２４を備えている。排ガスセンサ２４としては、例えば特開平１１−４２９２５号公報で開示されているガスセンサが挙げられる。なお、排ガスセンサ２４は、この特開平１１−４２９２５号公報で開示されているガスセンサに限定されないことはいうまでもない。この排ガスセンサ２４は、排ガス濃度が高くなるほど、値が大きくなる排ガス汚れ信号ＶＤＧＳを自動走行制御装置１０に出力する。
【００１２】
また、この車両、具体的にはステアリングホイールには、運転者の手動入力によって自車両の走行状態を調整するための手動スイッチ９が備えられている。手動スイッチ９の詳細を図２に示す。図中、符号９ａは先行車両追従走行制御を含む走行制御の起動スイッチ、９ｂは走行制御の解除スイッチ、９ｃは設定車間距離を入力する設定車間距離スイッチ、９ｄは設定走行速度を入力したり、設定走行速度を減速方向に変更するセット／コーストスイッチ、９ｅは走行制御解除後に、以前の設定走行速度を再入力したり、設定走行速度を加速方向に変更するレジューム／アクセラレートスイッチである。
【００１３】
このうち、設定車間距離スイッチ９ｃは、具体的な設定車間距離を数値入力するようなものではなく、例えば現在の車間距離を大きくしたいとか、小さくしたいときに用いるもので、例えば自車両の走行速度に対して最も標準的な目標車間距離を“中”としたとき、それより設定車間距離を大きくする“長”とか、それより設定車間距離を小さくする“短”といった入力方法を採用している。
【００１４】
以下にレジューム／アクセラレートスイッチ９ｅ、及びセット／コーストスイッチ９ｄの機能について説明する。
起動スイッチ９ａがＯＮで且つ自車両の車速が３０〜１００km/hにあるときにレジューム／アクセラレートスイッチ９ｅを押すと、一定車速走行制御（以下、ＡＳＣＤ制御とも記す）の設定走行速度をそのときの自車速にセットすると共に、設定走行速度を上限車速として先行車に追従する高速先行車両追従走行制御（以下、ＡＣＣ制御とも記す)を開始する。本実施形態におけるＡＣＣ制御は、前方状態検出装置１６が先行車を検出しているときに先行車に追従する制御を行い、前方状態検出装置１６が先行車を検出できないときはＡＳＣＤ制御を行うものである。
【００１５】
また、起動スイッチ９ａがＯＮで且つ自車両の車速が３０〜１００km/hにあるときにセット／コーストスイッチ９ｄを押すと、ＡＳＣＤ制御の設定走行速度を以前設定していた車速にセットし直すと共に、設定走行速度を上限車速としてＡＣＣ制御を開始する。ＡＣＣ制御の制御対象となる速度領域、及びＡＳＣＤの設定走行速度は３０〜１００km/hであり、自車速が３０km/h以下になるとＡＣＣ制御は解除される。
【００１６】
また、起動スイッチ９ａがＯＮで且つ自車両の車速が０〜３０km/hにあるときにレジューム／アクセラレートスイッチ９ｅ（又はセット／コーストスイッチ９ｄ）を押すと、先行車両に追従する低速先行車両追従走行制御（以下、インチング制御とも記す）を開始する。なお、インチング制御の制御対象の速度領域は０〜４５km/hであり、３０〜４５km/hの間で先のＡＣＣ制御の車速領域と重複する。
【００１７】
インチング制御は、前方状態検出装置１６が先行車を検出しているときにのみ先行車に追従する制御を行い、先行車を検出できないとき、及び自車速が４５km/hを超えたときに制御が解除される。
ＡＣＣ制御からインチング制御に移行するためには、この重複領域（３０〜４５km/h)でセット／コーストスイッチ９ｄを押す必要がある。また、インチング制御からＡＣＣ制御に移行するためには、この重複領域でレジューム／アクセラレートスイッチ９ｅを押す必要がある。
【００１８】
次に、前記自動走行制御装置１０内で行われる車間距離制御の演算処理について図３のフローチャートに従って説明する。この演算処理は、例えば１０msec. 程度に設定された所定サンプリング時間ΔＴ毎にタイマ割込によって実行される。なお、このフローチャートでは、特に通信のためのステップを設けていないが、演算処理によって得られた結果は随時記憶装置に更新記憶されると共に、必要な情報やプログラムは随時記憶装置から読込まれる。また、前述したエンジン制御装置１１、変速機制御装置１２、制動流体圧制御装置１３とは随時通信を行い、必要な情報や命令は随時双方向に授受される。
【００１９】
この演算処理では、まずステップＳ１で、前記加速度センサ１８で検出された前後加速度Ｘｇ、横加速度Ｙｇ、前記車輪速度センサ１７で検出された車輪速度Ｖｗｊ（ｊ＝ＦＬ〜ＲＲ）、前記アクセル開度センサ２０で検出されたアクセル開度Ａｃｃ、前記制動流体圧センサ１９で検出された制動流体圧Ｐｍ、前記手動スイッチ９で設定されている設定走行速度Ｖｃ、前記前方状態検出装置１６で検出された先行車両との車間距離ｄ、前記エンジン制御装置１１で制御されているエンジン駆動トルクＴｗを読込む。
【００２０】
続いてステップＳ２において、前記ステップＳ１で読込んだ車輪速度Ｖｗj のうち、従動輪である前左右輪速度ＶｗＦＬ、ＶｗＦＲの平均値から自車両の走行速度Ｖを算出する。
続いてステップＳ３において、前記ステップＳ１で読込んだ先行車両との車間距離の今回値ｄ（ｎ）と前回値ｄ（ｎ−１）との差分値を前記所定サンプリング時間ΔＴで除して、自車両と先行車両との相対速度Ｖｒを算出する。
【００２１】
続いてステップＳ４において、前記ステップＳ２で算出した自車両の走行速度Ｖに応じた目標車間距離ｄｒを算出する。具体的には、下記（１）式を用いて、自車両の走行速度Ｖに所定の制御ゲインＡを乗じ、それに所定の制御定数Ｂを和して求める。
ｄｒ＝Ａ×Ｖ＋Ｂ  ・・・（１）
なお、この制御ゲインＡ及び制御定数Ｂは、前記手動スイッチ９の設定車間距離スイッチ９ｃで入力された運転者の要求する設定車間距離に応じて設定される。
【００２２】
続いてステップＳ２０において、排ガス検知に基づいて値を設定する。図４は、その処理手順を示す。
先ずステップＳ２１において、前記ステップＳ４で得た目標車間距離ｄｒ及び排ガスセンサ２４で検出された排ガス汚れ信号ＶＤＧＳを読み込む。
続いてステップＳ２２において、先行車両の排ガスが検知されているか否かを判定する。具体的には、排ガス汚れ信号ＶＤＧＳと所定のしきい値Ｌｓｍｌとを比較する。ここで、排ガス汚れ信号ＶＤＧＳが所定のしきい値Ｌｓｍｌ以上の場合（ＶＤＧＳ≧Ｌｓｍｌ）、排ガスを検知したとして、ステップＳ２３に進み、排ガス汚れ信号ＶＤＧＳがしきい値Ｌｓｍｌ未満の場合（ＶＤＧＳ＜Ｌｓｍｌ）、排ガスを検知できなかったとして、ステップＳ２６に進む。
【００２３】
ステップＳ２３では、排ガス検知フラグＨＧを１に設定する。この排ガス検知フラグＨＧは初期値として０に設定されている。
続いてステップＳ２４において、前記ステップＳ４で得た目標車間距離ｄｒを変更する。具体的には、下記（２）式により、前記ステップＳ４で得た目標車間距離ｄｒに車間距離補正係数（所定値）Ｋ１を加算して、新たな目標車間距離ｄｒを得る。
ｄｒ（＝Ｌ１）＝ｄｒ＋Ｋ１  ・・・（２）
続いてステップＳ２５において、制御ゲインを変更する。後述するように基準目標走行速度Ｖｓｏを制御ゲインＰ１や制御ゲインＰ２を用いて算出しており、この制御ゲインＰ１，Ｐ２の両方又はいずれか一方を、通常の値よりも小さい値に変更する。そして、ステップＳ５に進む。
【００２４】
また、前記ステップＳ２２において排ガス汚れ信号ＶＤＧＳがしきい値Ｌｓｍｌ未満の場合（ＶＤＧＳ＜Ｌｓｍｌ）に進むステップＳ２６では、排ガス検知フラグＨＧが１か否を判定する。ここで、排ガス検知フラグＨＧが１の場合（ＨＧ＝１）、ステップＳ２７に進み、排ガス検知フラグＨＧが１でない場合（ＨＧ＝０）、ステップＳ３０に進む。
ステップＳ２７では、先行車両が入れ替わったか否かを判定する。具体的には、先行車両との車間距離の変化量が所定のしきい値よりも大きくなった場合、先行車両が入れ替わったと判定する。これは、先行車両が入れ替わった場合には、少なくとも車一台分、車間距離が変化するからである。
【００２５】
ステップＳ２７で、先行車両が入れ替わったと判定した場合、ステップＳ３２に進み、先行車両が入れ替わっていないと判定した場合、ステップＳ２８に進む。
ステップＳ３２では、排ガス検知フラグＨＧを０に設定する。そして、ステップＳ３０に進む。
ステップＳ２８では、先行車両（入れ替わっていない先行車両）が加速したか否かを判定する。具体的には、先行車両の加速度が所定の加速度以上になった場合、先行車両が加速したと判定する。ここで、先行車両（入れ替わっていない先行車両）が加速した場合、前記ステップＳ２４に進み、先行車両（入れ替わっていない先行車両）が加速していない場合、ステップＳ２９に進む。
【００２６】
ステップＳ２９では、現在の走行路が登坂路か否かを判定する。一般的な登坂路検出手段により登坂路を検出しており、例えば図示しない車載の加速度センサと実際の自車両の加速度とを比較し、その比較結果に基づいて現在の走行路が登坂路か否かを判定する。ここで、現在の走行路が登坂路の場合、前記ステップＳ２４に進み、現在の走行路が登坂路でない場合、前記ステップＳ３０に進む。
ステップＳ３０では、通常の目標車間距離ｄｒにする。すなわち、前記ステップＳ４で得た目標車間距離ｄｒの値に維持する。
続いてステップＳ３１において、通常の制御ゲインにする。すなわち、制御ゲインＰ１，Ｐ２を通常の値のものにする。そして、ステップＳ５に進む。
以上がステップＳ２０における処理になる。
【００２７】
ステップＳ５では、制御ゲインＰ１，Ｐ２を用いて目標走行速度Ｖｓを算出する。具体的には次のように目標走行速度Ｖｓを算出する。
先ず、下記（３）式を用いて、前記ステップＳ２０で算出した目標車間距離ｄｒと前記ステップＳ１で読込んだ実際の車間距離ｄとの差分値に比例制御ゲインＰ１を乗じた値と、前記ステップＳ３で算出した相対速度Ｖｒに微分制御ゲインＰ２を乗じた値との加算値から基準目標走行速度Ｖｓｏを算出する。
Ｖｓｏ＝Ｐ１×（ｄ−ｄｒ）＋Ｐ２×Ｖｒ  ・・・（３）
そして、算出したこの基準目標走行速度Ｖｓｏと前記ステップＳ１で読込んだ設定走行速度Ｖｃのうち、何れか小さい方を目標走行速度Ｖｓに設定する。
ここで、前記ステップＳ２５で制御ゲインＰ１や制御ゲインＰ２が通常用いる値よりも小さい値に変更されていれば、この基準目標走行速度Ｖｓｏは、より小さい値になる。
【００２８】
続いてステップＳ６において、前記ステップＳ５で算出した目標走行速度Ｖｓと前記ステップＳ２で算出した自車両の走行速度Ｖとの差分値から、例えばＰＩＤ（比例−微分−積分）制御による目標加速度Ｘｇｓを算出する。
ここで、例えば、前記ステップＳ５で目標走行速度Ｖｓが基準目標走行速度Ｖｓｏとして設定されており、さらにその基準目標走行速度Ｖｓｏの制御ゲインＰ１やＰ２が前記ステップＳ２５で変更されていたとすれば、この目標加速度Ｘｇｓは、より小さい値になる。
【００２９】
続いてステップＳ７において、例えば前記ステップＳ６で算出した目標加速度Ｘｇｓが負である場合、つまり減速を必要とする場合に、当該目標加速度Ｘｇｓにブレーキ諸元係数を乗じた値と、前記ステップＳ１で読込んだ制動流体圧Ｐｍにブレーキ諸元係数を乗じた値とのうち、何れか大きい方を目標制動流体圧Ｐｗｓｊとして算出する。なお、ブレーキ諸元係数とは、例えば各車輪のディスクローターパッド間摩擦係数、ホイールシリンダ断面積、ディスクロータ有効径、タイヤ転がり動半径等によって決まる係数である。
【００３０】
続いてステップＳ８において、前記ステップＳ５で算出した目標加速度Ｘｇｓが正である場合、つまり加速を必要とする場合に、当該目標加速度Ｘｇｓに駆動系諸元変数を乗じた値と、前記ステップＳ１で読込んだアクセル開度Ａｃｃに駆動系諸元変数を乗じた値とのうち、何れか大きい方を目標駆動トルクＴｅｓとして算出する。なお、駆動系諸元変数とは、例えば歯車慣性、減速比、伝達効率、エンジン特性等によって決まる変数である。
【００３１】
続いてステップＳ９において、前記ステップＳ７で算出した目標制動流体圧ＰｗｓｊやステップＳ８で算出した目標駆動トルクＴｅｓを前記制動流体圧制御装置１３やエンジン制御装置１１、変速機制御装置１２に向けて出力する。さらに、目標車間距離制御の情報提示信号を前記ディスプレイ及びスピーカ２３に向けて出力してからメインプログラムに復帰する。このディスプレイ及びスピーカ２３による情報提示は、例えば目標車間距離を変更制御するときには、その前に、例えば「車間距離を広げます」といった内容を音声や表示によって提示したりすることが挙げられる。
【００３２】
この演算処理によれば、手動スイッチ９で設定されている設定走行速度Ｖｃ又は目標車間距離ｄｒに基づいて得た基準目標走行速度Ｖｓｏにより目標走行速度Ｖｓを設定し（前記ステップＳ４、ステップＳ２０、ステップＳ５）、この設定した目標走行速度Ｖｓと自車両の走行速度Ｖとの差から目標加速度Ｘｇｓを算出し（前記ステップＳ６）、この目標加速度Ｘｇｓとなるように目標制動流体圧Ｐｗｓｊ及び目標駆動トルクＴｅｓを前記制動流体圧制御装置１３やエンジン制御装置１１、変速機制御装置１２に向けて出力すると共に、目標車間距離制御の情報提示信号を前記ディスプレイ及びスピーカ２３に向けて出力する（前記ステップＳ７、ステップＳ８、ステップＳ９）。ここで、目標加速度Ｘｇｓの値が小さければ、自車両は、小さい加速度で先行車両に追従するようになる。
【００３３】
そして、ステップＳ２０（図４）の処理を考慮すれば、自車両の挙動は次のようになる。  先行車両の排ガスを検知していない場合には、通常の目標車間距離（前記ステップＳ４で算出した目標車間距離ｄｒ）及び通常の制御ゲインＰ１，Ｐ２を用いて算出した目標走行速度Ｖｓ（前記ステップＳ５で目標走行速度Ｖｓが基準目標走行速度Ｖｓｏに設定されている場合）により得た加速度により自車両が加速して、所定の車間距離になる（前記ステップＳ２２、ステップＳ３０、ステップＳ３１）。
【００３４】
一方、先行車両の排ガスを検知した場合、目標車間距離ｄｒが大きい値に変更され、さらに制御ゲインＰ１，Ｐ２の両方又はいずれか一方が変更されることで（前記ステップＳ２２、ステップＳ２４、ステップＳ２５）、先行車両との車間距離が本来の制御で採用する車間距離よりも遠くなり、さらにその車間距離にするための制御の応答性が鈍くなる、すなわち自車両の加速度が本体の制御で採用する加速度よりも小さくなる。
【００３５】
そして、その後先行車両の排ガスを検知できなくなった場合でも、過去に排ガスを検知した際の先行車両が他の車両と入れ替わることなく、未だ自車両の前を走行している場合で、かつその先行車両が加速した場合には（前記ステップＳ２２、ステップＳ２７、ステップＳ２８）、当該先行車両について排ガス検知をした場合と同様に、先行車両との車間距離が本来の制御で採用する車間距離よりも遠くなり、さらにその車間距離にするための自車両の加速度が本体の制御で採用する加速度よりも小さくなる。
【００３６】
また、その後先行車両の排ガスを検知できなくなった場合でも、過去に排ガスを検知した際の先行車両が他の車両と入れ替わることなく、未だ自車両の前を走行している場合で、かつ現在の走行路が登坂路の場合には（前記ステップＳ２２、ステップＳ２７、ステップＳ２９）、当該先行車両について排ガス検知をした場合と同様に、先行車両との車間距離が本来の制御で採用する車間距離よりも遠くなり、さらにその車間距離にするための自車両の加速度が本体の制御で採用する加速度よりも小さくなる。
【００３７】
また言い換えれば、このように排ガスを検知した際の先行車両が未だ自車両の前を走行している場合でも、当該先行車両が加速しなかったり、現在の走行路が登坂路でない場合には、通常の目標車間距離（前記ステップＳ４で算出した目標車間距離ｄｒ）及び通常の制御ゲインＰ１，Ｐ２を用いて算出した目標走行速度Ｖｓ（前記ステップＳ５で目標走行速度Ｖｓが基準目標走行速度Ｖｓｏに設定されている場合）により得た加速度により自車両が加速する（前記ステップＳ２７〜ステップＳ３１）。そして、その後、先行車両が加速したり、走行路が登坂路になった場合には、再び、先行車両との車間距離が本来の制御で採用する車間距離よりも遠くなり、さらにその車間距離にするための自車両の加速度が本体の制御で採用する加速度よりも小さくなる。
【００３８】
ここで、具体例について図５及び図６を用いて説明する。
図５は、先行車両の加速度と排ガス汚れ信号ＶＤＧＳとに基づいて目標車間距離ｄｒ及び制御ゲインＰ１，Ｐ２を変更する場合の例を示す。ここで、排ガスを検知した後であり、その排ガスを検知した際の先行車両が未だ自車両の前を走行している場合を前提とする。
このような前提で、図５中（Ａ）、（Ｃ）及び（Ｄ）に示すように、走行車両の加速度Ａが所定のしきい値ＴＨ１よりも大きくなった場合、目標車間距離ｄｒを大きい値に変更し、さらに制御ゲインＰ１，Ｐ２を小さい値に変更する。これにより、前述したように、先行車両との車間距離が本来の制御で採用する車間距離よりも遠くなり、さらにその車間距離にするための自車両の加速度が本体の制御で採用する加速度よりも小さくなる。
【００３９】
そして、その後、図５中（Ａ）に示すように先行車両の加速度が小さくなっても、図５中（Ｂ）に示すように排ガス汚れ信号ＶＤＧＳが所定のしきい値Ｌｓｍｌになっている場合には、図５中（Ｃ）及び（Ｄ）に示すように、そのまま自車両の走行状態は維持される。すなわち、先行車両との車間距離は本来の制御で採用する車間距離よりも遠く、さらにその車間距離にするための自車両の加速度は本体の制御で採用する加速度よりも小さいままとなる。
【００４０】
図６は、先行車両１０１からの排ガスや先行車両１０１の加速度に基づいて車間距離及び自車両１００の加速度を変更する場合の例を示す。
図６中（Ａ）から同図中（Ｂ）への変化として示すように、先行車両１０１からの排ガスを検知すると、車間距離は長くなり、さらに自車両の加速度は鈍くなる。そして、その後、先行車両１０１からの排ガスを検知できなくなると、図６中（Ｂ）から同図中（Ｃ）への変化として示すように、自車両１００は、本来の制御値の車間距離及び加速度により車間距離が制御される。
しかし、その後先行車両１０１の加速を検出すると当該先行車両１０１の排ガスを検知していない場合でも、図６中（Ｃ）から同図中（Ｄ）への変化として示すように、車間距離は長くなり、さらに自車両の加速度は鈍くなる。
【００４１】
次に本実施形態における効果を説明する。
前述したように、自車両において排ガスを検知した場合、車間距離を長くしている。これにより、自車両が先行車両の黒煙等の排ガスをかぶってしまうことを抑制できる。これにより、視界が悪化してしまうことを防止でき、エアダクトや車室内の空調の外気導入口から排ガスが車室内に入り込んでしまうことを防止できる。
また、前述したように、自車両において排ガスを検知した場合、車間距離制御において自車両の加速度を小さくしている、すなわち車間距離制御の応答性を遅くしている。これにより、自車両が先行車両に直ぐに追いつかないようにして、自車両が先行車両の排ガスをかぶってしまうことを抑制している。これにより、視界が悪化してしまうことを防止でき、エアダクトや車室内の空調の外気誘導入口から排ガスが車室内に入り込んでしまうことを防止できる。
【００４２】
また、前述したように、先行車両の排ガスを検知できなくなった場合でも、当該先行車両が未だ自車両の前を走行している場合で、かつ当該先行車両が加速したり、走行路が登坂路になった場合には、車間距離を長くしたり、自車両の加速度を小さくしている。ここで、車両が加速する場合、その負荷により車両から排ガスが多く排出される。また、加速する場合と同様に、登坂路を走行する場合にも車両から排ガスが多く排出される。
【００４３】
これにより、先行車両の排ガスを検知していなくても、先行車両が加速したり、登坂路を走行している場合には、当該先行車両が多量の排ガスが排出するものとして、車間距離を長くしたり、自車両の加速度を小さくしている。すなわち、走路状態や先行車両の走行状態から排ガスを予測検知し、フィードフォワード制御として、車間距離を長くしたり、自車両の加速度を小さくしている。これにより、自車両が先行車両の排ガスをかぶってしまうことを防止できる。
【００４４】
例えば、単に、先行車両が加速したこと、走行路が登坂路であることを条件に、車間距離を長くしたり、自車両の加速度を小さくすることも考えられる。しかし、全ての車両が有害な排ガスを排出したり、多量の排ガスを排出するとも限らない。すなわち、所定の成分（例えばＮＯｘ）を含むディーゼル車からの排ガスだけを検知対象としているのであれば、ディーゼル車以外の車については、制御対象とする必要はない。このようなことから、前述したように過去に特定の排ガスを検知している先行車両を制御対象とすることで、フィードフォワード制御を実現する走路状態や先行車両の走行状態に基づく排ガスの予測検知を精度よく行うことができる。
【００４５】
また、先行車両の排ガスを一旦検知した場合には車間距離を長くする制御を行うので、先行車両との距離が長くなったことで、排ガスセンサ２４の検知性能で当該先行車両からの排ガスを検知できなくなる場合がある。このような場合に、排ガスを予測検知して、フィードフォワード制御として車間距離を長くしたり、自車両の加速度を小さくすることは、自車両が先行車両の排ガスをかぶってしまうことを防止することに有効に作用する。
【００４６】
以上、本発明の実施形態について説明した。しかし、本発明は、前述の実施形態として実現されることに限定されるものではない。
すなわち、前述の実施形態では、排ガスをかぶらないようにするために、車間距離を長くすること、及び自車両の加速度を小さくすること（制御ゲインを小さくすること）の両方を行っている。しかし、排ガスをかぶらないようにするために、車間距離を長くすること、又は自車両の加速度を小さくすることのいずれか一方だけを行ってもよい。
【００４７】
また、排ガスをかぶらないようにするために、他の制御値を変更することで、車間距離を長くしたり、自車両の加速度を小さくしてもよい。例えば、前記（１）式で目標車間距離ｄｒの算出に用いている制御ゲインＡや制御定数Ｂを変更して、車間距離を長くしてもよい。
また、検知した排ガス量に応じて、車間距離や自車両の加速度を決定してもよい。図７及び図８はそれを実現する例を示す特性図である。
【００４８】
図７に示すように、排ガス量がある量になったとき、排ガス量に比例して前記車間距離補正係数Ｋ１を大きくし、そして、排ガス量がある量に達したところで、前記車間距離補正係数Ｋ１を一定値に維持する。これにより、検知した排ガス量が多くなるほど、車間距離制御の目標値とされる所定の車間距離が長くなる。
また、図８に示すように、排ガス量がある量になったとき、排ガス量に比例して制御ゲインＰ１，Ｐ２を小さくし、そして、排ガス量がある量に達したところで、制御ゲインＰ１，Ｐ２を一定値に維持する。これにより、検知した排ガス量が多くなるほど、制御の応答性が小さくなり、自車両の加速度が小さくなる。
【００４９】
なお、前述の実施形態の説明において、自動走行制御装置１０による図３のステップＳ１〜ステップ４、ステップＳ５〜ステップＳ９の処理は、先行車両との車間距離が所定の車間距離となるように自車速を制御する走行速度制御手段を実現しており、排ガスセンサ２４は、前記先行車両の排ガスを検出する排ガス検出手段を実現しており、自動走行制御装置１０による図３のステップＳ２０（図４）の処理は、前記排ガス検出手段が前記先行車両からの排ガスを所定値以上検出した場合（ステップＳ２２）、前記所定の車間距離を大きい値に変更すること（ステップＳ２４）、及び前記走行速度制御手段の制御ゲインを小さい値に変更すること（ステップＳ２５）の少なくとも一方を行う変更手段を実現している。
【図面の簡単な説明】
【００５０】
【図１】本発明の実施形態の先行車両追従走行制御装置付き車両の一例を示す車両構成図である。
【図２】図１の手動スイッチの構成を示す図である。
【図３】図１の自動走行制御装置で行われる車間距離制御のための演算処理を示すフローチャートである。
【図４】図３の演算処理で行われるサブルーチンの演算処理を示すフローチャートである。
【図５】先行車両の加速度と排ガス汚れ信号ＶＤＧＳとに基づいて目標車間距離ｄｒ及び制御ゲインＰ１，Ｐ２を変更する場合のタイムチャートである。
【図６】先行車両からの排ガスや先行車両の加速度に基づいて車間距離及び自車両の加速度を変更する場合の説明に用いた図である。
【図７】排ガス検知量に応じて車間距離補正係数Ｋ１を決定する場合に用いる特性図である。
【図８】排ガス検知量に応じて制御ゲインＰ１，Ｐ２を決定する場合に用いる特性図である。
【符号の説明】
【００５１】
１  ＦＬ〜１ＲＲは車輪
２  エンジン
３  自動変速機
４ＦＬ〜４ＲＲ  ホイールシリンダ
７  ナビゲーションシステム
９  手動スイッチ
１０  自動走行制御装置
１１  エンジン制御装置
１２  変速機制御装置
１３  制動流体圧制御装置
１６  前方状態検出装置
１７  車輪速センサ
１８  加速度センサ
１９  制動流体圧センサ
２０  アクセル開度センサ
２１  ブレーキペダル
２２  マスタシリンダ
２３  ディスプレイ及びスピーカ
２４  排ガスセンサ
【図１】
2005178692.tif 000003
【図２】
2005178692.tif 000004
【図３】
2005178692.tif 000005
【図４】
2005178692.tif 000006
【図５】
2005178692.tif 000007
【図６】
2005178692.tif 000008
【図７】
2005178692.tif 000009
【図８】
2005178692.tif 000010